(57)【要約】【課題】不要なときに漏れの報知をしないで、必要なときに、漏れの報知を的確にできる給湯機を提供すること。【解決手段】漏れ判別手段４２は、水設定ボタン３５が水設定をしていなく、かつ、給湯流量センサ２３が検出した給湯流量が「０．０Ｌ／ｍｉｎ＜給湯流量＜２．０Ｌ／ｍｉｎ」の範囲内にあり、かつ、この状態が３分以上連続すると、漏れがあると判別する。上記漏れ判別手段４２が。漏れがあると判別すると、リモコン３０の画像表示部３１およびスピーカ３３に漏れの報知を行わせる信号を出力する。【選択図】図１
2014070807.tif 000002
【特許請求の範囲】
【請求項１】
湯と水とを混合する混合弁（３）と、
上記混合弁（３）と蛇口（４）との間に設けられた給湯流量センサ（２３）と、
上記混合弁（３）から水が流出するように水設定をする水設定手段（３５）と、
上記水設定手段（３５）が水設定をしていなく、かつ、上記給湯流量センサ（２３）が検出した流量が所定範囲内であるときに漏れがあると判別する漏れ判別手段（４２）と、
上記漏れ判別手段（４２）が漏れがあると判別したときに、漏れの報知を行う報知手段（３１，３３）と
を備えることを特徴とする給湯機。
【請求項２】
請求項１に記載の給湯機において、
上記報知手段（３１）は、漏れの状態を示す画像で報知することを特徴とする給湯機。
【請求項３】
請求項１または２に記載の給湯機において、
上記報知手段（３３）は、漏れがあることを音声で報知することを特徴とする給湯機。
【発明の詳細な説明】
【技術分野】
【０００１】
この発明は、給湯機に関する。
【背景技術】
【０００２】
従来、給湯機においては、特開２０１１−２５７０８３号公報（特許文献１）に記載のように、湯と水とを混合する混合弁の下流の蛇口の閉め忘れによる湯漏れ現象があることが認識されている。そして、上記従来の給湯機では、湯漏れ後、所定流量以上の再出湯とするときに、混合弁を水側に制御して、蛇口から高温の湯がでないようにしている。
【先行技術文献】
【特許文献】
【０００３】
【特許文献１】特開２０１１−２５７０８３号公報
【発明の概要】
【発明が解決しようとする課題】
【０００４】
しかしながら、上記従来の給湯機では、蛇口から湯漏れや水漏れがあっても、その漏れ自体に対して、具体的な対策を講じていなかったため、漏れが放置されるという問題がある。
【０００５】
また、凍結防止や食品の解凍等のために、蛇口から敢えて水を漏らす場合があり、この場合、漏れの報知がされると、具合が悪い。
【０００６】
そこで、この発明の課題は、不要なときに漏れの報知をしないで、必要なときに、漏れの報知を的確にできる給湯機を提供することにある。
【課題を解決するための手段】
【０００７】
上記課題を解決するため、この発明の給湯機は、
湯と水とを混合する混合弁と、
上記混合弁と蛇口との間に設けられた給湯流量センサと、
上記混合弁から水が流出するように水設定をする水設定手段と、
上記水設定手段が水設定をしていなく、かつ、上記給湯流量センサが検出した流量が所定範囲内であるときに漏れがあると判別する漏れ判別手段と、
上記漏れ判別手段が漏れがあると判別したときに、漏れの報知を行う報知手段と
を備えることを特徴としている。
【０００８】
上記構成の給湯機によれば、上記水設定手段が水設定をしていない場合、上記混合弁と蛇口との間に設けられた給湯流量センサが所定範囲内であるときに、上記漏れ判別手段は、漏れがあると判別して、報知手段が漏れの報知を行う。
【０００９】
したがって、この給湯機の使用者は、必要なときに、漏れがあることを知ることができ、対策を講じることができる。
【００１０】
一方、凍結防止等のため、混合弁から蛇口に水が流れるように、上記水設定手段で水設定をしている場合、上記漏れ判別手段は、漏れの判別を行わないようにすることができ、凍結防止等のため敢えて漏れが生じているときは、漏れの報知がされないから、不具合がない。このように、混合弁から蛇口に水が流れるように水設定をするのは、凍結防止の際に貯湯タンクの湯を消費しなくてよいからである。
【００１１】
したがって、この発明によれば、不要なときに漏れの報知をしないで、必要なときに、的確に漏れの報知をすることができる。
【００１２】
１実施形態では、
上記報知手段は、漏れの状態を示す画像で報知する。
【００１３】
上記実施形態によれば、上記報知手段は、漏れの状態を示す画像で報知するから、強いイメージで確実に漏れを報知できる。
【００１４】
１実施形態では、
上記報知手段は、漏れがあることを音声で報知する。
【００１５】
上記実施形態では、上記報知手段が、漏れがあることを音声で報知するから、確実に漏れを報知することができる。
【発明の効果】
【００１６】
この発明の給湯機は、水設定手段が水設定をしていなく、かつ、混合弁と蛇口との間にある給湯流量センサが検出した給湯流量が所定範囲内であるときに漏れがあると判別するので、不要なときに漏れの報知をしないで、必要なときに、的確に漏れの報知をすることができる。
【図面の簡単な説明】
【００１７】
【図１】この発明の１実施形態の給湯機の回路図である。
【図２】上記実施形態の給湯機の漏れ判別および報知の動作を示すフローチャートである。
【図３】上記実施形態の画像表示部の図である。
【発明を実施するための形態】
【００１８】
以下、この発明を図示の実施の形態により詳細に説明する。
【００１９】
図１に示すように、この第１実施形態の給湯機は、貯湯タンク１と、この貯湯タンク１の水または湯を加熱する加熱手段としてのヒートポンプユニット２と、貯湯タンク１から湯が供給される混合弁３を備える。
【００２０】
上記ヒートポンプユニット２は、沸き上げ用のポンプ５を有する沸き上げ循環路６によって貯湯タンク１の底部のヒートポンプ往き口１８と上部のヒートポンプ戻り口１９とに接続されている。そして、上記沸き上げ用のポンプ５の駆動によって、貯湯タンク１の底部の水または低温の湯がヒートポンプ往き口１８からヒートポンプユニット２に供給されて加熱されて、ヒートポンプ戻り口１９から貯湯タンク１に戻されるようになっている。
【００２１】
上記貯湯タンク１の上部の給湯口２０から配管２１によって高温の湯が混合弁３に供給されて、この混合弁３で湯と水が混合される。この混合弁３から、混合されて適切な温度になった湯が配管２２を通って蛇口４に供給される。上記配管２２の途中に給湯流量センサ２３が設けられており、また、配管２２を通る湯の温度を検出する温度センサ２４が設けられている。配管２２の出口が、蛇口４のお湯側に接続される。
【００２２】
上記貯湯タンク１の下部の給水口２６には、給水管２７が接続されて、給湯口２０から排出された湯量相当の水量が給水口２６から貯湯タンク１内に供給されるようになっている。上記給水管２７は、混合弁３にも接続されて、混合弁３に水が供給されるようになっている。また、上記蛇口４の水側には、給水管２８が接続されて、水が供給される。
【００２３】
リモコン３０には、例えば、液晶表示装置からなる画像表示部３１と、スピーカ３３と、画像表示部３１およびスピーカ３３に漏れの報知を可能にするか否か、つまり、報知の「入り」、「切り」を設定する報知ボタン３２と、凍結防止等のために水設定の入り切りを設定する水設定手段の一例としての水設定ボタン３５と、スピーカ３３の音量を設定する音量ボタン３６を有する。
【００２４】
上記報知の「入り」、「切り」を設定する報知ボタン３２は、解凍時などに、蛇口４から微量の湯を漏らすことがあるから、この場合、報知ボタン３２を切りにして、報知を行わないようにすることができる。
【００２５】
一方、制御装置４０は、リモコン３０，給湯流量センサ２３，温度センサ２４からの信号を受けて、ヒートポンプユニット２，ポンプ５，混合弁３およびリモコン３０を制御する。上記制御装置４０は、例えば、マイクロコンピュータからなる。
【００２６】
上記制御装置４０は、メモリ４１と漏れ判別手段４２と水設定制御手段４３とを有する。上記漏れ判別手段４２と水設定制御手段４３とは、ソフトウェアによって構成されている。
【００２７】
上記メモリ４１は、給湯流量センサ２３が検出した給湯流量と、その給湯流量が検出されたときの時刻とを対応づけて記憶する。
【００２８】
上記水設定制御手段４３は、上記水設定ボタン３５によって凍結防止等のために水設定がされると、混合弁３から水のみが流出されるように、混合弁３の流路を制御する。このように、混合弁３から蛇口４に水が流れるように水設定をするのは、凍結防止の際に貯湯タンク１の湯を消費しなくてよいからである。
【００２９】
上記漏れ判別手段４２は、図２に示すように、上記水設定ボタン３５が水設定をしていなく、かつ、上記給湯流量センサ２３が検出した給湯流量が所定範囲内の一例としての「０．０Ｌ／ｍｉｎ＜給湯流量＜２．０Ｌ／ｍｉｎ」の範囲内にあり、かつ、この状態が３分以上連続すると、漏れがあると判別する。この所定範囲内あるか否か、かつ、上記状態が３分以上連続するか否かの判断は、メモリ４１の記憶内容を参照して行われる。
【００３０】
このように、上記給湯流量センサ２３が検出した給湯流量で、漏れを検知しているので、貯湯タンク１等の温度が変動しなくても、蛇口４の閉め忘れによる漏れを検知できる。
【００３１】
上記漏れ判別手段４２は、漏れがあると判別すると、報知手段の一例としてのリモコン３０の画像表示部３１およびスピーカ３３に漏れの報知を行わせる信号を出力する。
【００３２】
上記画像表示部３１は、漏れ判別手段４２から漏れの報知を行わせる信号を受けると、図３に示すように、通常の画像Ａの表示から、漏れを報知する特殊な画像Ｂの表示に変更する。上記画像Ｂ中には、蛇口から水が漏れている状態を表す動画または静止画Ｂ１と、漏れについて注意を促す文字画像Ｂ２が含まれる。この画像表示部３１は、漏れの報知をするときに、バックライトを点灯または点滅してもよい。こうすることによって、より確実に蛇口４の閉め忘れを知らせることができる。
【００３３】
また、図３では示していないが、図３のＢの画像の中に、報知終了ボタンを表示させて、ユーザの意図に反して、漏れの報知をしてしまった場合は、この報知終了ボタンで、即、報知を止めることができるようにしてもよい。
【００３４】
また、上記スピーカ３３が音声で漏れの報知を行う場合、ユーザが音量ボタン３６で設定した所望の音量で報知する。あるいは、ユーザが音量ボタン３６で設定した設定値よりも大きな音で、漏れを報知するようにしてもよい。こうすると、より確実に、ユーザは漏れの報知に気づくことができる。また、音量が「切り」、つまり、無音に設定されていても、音声で漏れを報知できるようにしてもよい。こうすると、より確実に漏れの報知に気づいてもらうことができる。
【００３５】
ユーザーが報知に気付いて蛇口４を確実に閉めると、給湯流量＝0.0L/minとなり、所定範囲から外れるため、報知は終了する。
【００３６】
なお、上記貯湯タンク１，混合弁３，給湯流量センサ２３，沸き上げ用のポンプ５，温度センサ２４および制御装置４０は、貯湯ユニット１００を構成する。
【００３７】
上記構成の給湯機の漏れの判別および報知の動作について、図２のフローチャートを参照しながら説明する。
【００３８】
図１の報知ボタン３２が「入」とされて、漏れ判別および報知の動作がスタートとすると、まず、ステップＳ１で、凍結防止等のために、水設定ボタン３５によって、水設定がされて、混合弁３から水のみが流出する状態になっているか否か判別される。ステップＳ１で是と判別されると、凍結防止等のために、混合弁３と蛇口４との間に敢えて微量の水を流しているから、漏れについての判別を行わないで、ステップＳ４に進む。
【００３９】
一方、ステップＳ１で、否と判別されると、ステップＳ２に進んで、上記給湯流量センサ２３が検出した給湯流量が所定範囲内の一例としての０．０Ｌ／ｍｉｎ＜給湯流量＜２．０Ｌ／ｍｉｎの範囲内にあり、かつ、この状態が３分以上連続しているか否かを判別して、是と判別すると、ステップＳ３に進んで、リモコン３０の画像表示部３１およびスピーカ３３に漏れの報知をさせる。
【００４０】
一方、ステップＳ２で、否と判別されると、このステップＳ１に戻る。
【００４１】
ステップＳ４では、報知ボタン３２が報知の「切」になっているか否かが判別されて、是なら、この漏れ判別および報知の動作を終了し、否ならば、ステップＳ１に戻る。
【００４２】
上記ステップＳ１，Ｓ２は、漏れ判別手段の一例を構成する。
【００４３】
以上の動作を、報知ボタン３２の「入」、「切」と併せてまとめると、次の表１ようになる。
【００４４】
【表１】
2014070807.tif 000003
【００４５】
このように、この給湯機は、報知が「入」で、水設定ボタン３５が水設定をしていなく、かつ、混合弁３と蛇口４との間にある給湯流量センサ２３が検出した給湯流量が、０．０Ｌ／ｍｉｎ＜給湯流量＜２．０Ｌ／ｍｉｎの範囲内にあり、かつ、この状態が３分以上継続しているときに、漏れがあると判別するので、凍結防止等のために漏れさせているときには、漏れの報知をしないで、必要なときに、的確に漏れを報知することができる。
【００４６】
一方、水設定ボタン３５で、水設定をしているときは、凍結防止等のために、敢えて漏れさせているため、給湯流量が、０．０Ｌ／ｍｉｎ＜給湯流量＜２．０Ｌ／ｍｉｎの範囲内にあり、かつ、この状態が３分以上継続していても、漏れの報知がされない。なお、このように、混合弁３から蛇口４に水が流れるように水設定をするのは、凍結防止の際に貯湯タンク１の湯を消費しなくてよいからである。
【００４７】
なお、希望によっては、水設定ボタン３５で水設定をしていても、報知の禁止を解除して、漏れの報知をするようにしてもよい。
【００４８】
上記実施形態では、漏れ判別手段４２は、給湯流量センサ２３が検出した給湯流量が所定範囲内の一例としての「０．０Ｌ／ｍｉｎ＜給湯流量＜２．０Ｌ／ｍｉｎ」の範囲内にあり、かつ、この状態が３分以上連続すると、漏れがあると判別しているが、上記所定範囲および時間（３分）は、ユーザの好みによって、任意に変更することができるようにしてもよい。この変更方法は、容易に変更できないようにするため、リモコン３０からの特殊操作とするのが望ましい。ここで、特殊操作とは、ボタンの長押し、同時押し、確認画面表示等である。
【００４９】
また、上記実施形態では、加熱手段としてヒートポンプユニットを用いたが、ガス釜を用いてもよい。
【符号の説明】
【００５０】
１  貯湯タンク
２  ヒートポンプユニット
３  混合弁
４  蛇口
２３  給湯流量センサ
３０  リモコン
３２  報知ボタン
３５  水設定ボタン
４０  制御装置
４２  漏れ判別手段
【図１】
2014070807.tif 000004
【図２】
2014070807.tif 000005
【図３】
2014070807.tif 000006